(57)【要約】【課題】表示パネルの輝度が不均一になるのを抑制しながら、薄型化することが可能なバックライト装置を提供する。【解決手段】このバックライト装置２０では、キセノンランプ２３は、ガラス管２３ａと、ガラス管２３ａの外表面に設けられた外部電極２３ｂおよび２３ｃとを含む。外部電極２３ｂは、インバータ回路基板３０のＧＮＤに接続されており、外部電極２３ｃには、キセノンランプ２３を発光させるための電圧が印加される。外部電極２３ｃとバックライトシャーシ２１との間の距離Ｌ１（Ｌ３）は、外部電極２３ｃと外部電極２３ｂとの間の距離Ｌ２よりも大きい。【選択図】図３
2009259562.tif 000002
【特許請求の範囲】
【請求項１】
希ガス蛍光ランプと、
前記希ガス蛍光ランプを収納するバックライトシャーシとを備え、
前記希ガス蛍光ランプは、内部に希ガスが封入される透光性気密容器と、前記透光性気密容器の外表面に設けられた第１外部電極および第２外部電極とを含み、
前記第１外部電極は、ＧＮＤに接続されており、
前記第２外部電極は、前記希ガス蛍光ランプを発光させるための電圧が印加されるように構成されており、
前記第２外部電極と前記バックライトシャーシとの間の第１の距離は、前記第２外部電極と前記第１外部電極との間の第２の距離よりも大きいことを特徴とするバックライト装置。
【請求項２】
前記第１外部電極は、前記第２外部電極と前記バックライトシャーシとの間に配置されていることを特徴とする請求項１に記載のバックライト装置。
【請求項３】
前記希ガス蛍光ランプは、所定の方向に並んで配置された複数の希ガス蛍光ランプからなり、
前記バックライトシャーシは、前記複数の希ガス蛍光ランプに対向配置される底面部を含み、
前記第１外部電極および前記第２外部電極は、前記バックライトシャーシの底面部の法線方向に並ぶように配置されていることを特徴とする請求項２に記載のバックライト装置。
【請求項４】
前記バックライトシャーシは、２つの側面部と、前記２つの側面部を接続する底面部とからなるコの字状の断面形状を有し、
前記第２外部電極と前記側面部との間の第３の距離と、前記第２外部電極と前記底面部との間の第４の距離との両方は、前記第２外部電極と前記第１外部電極との間の前記第２の距離よりも大きいことを特徴とする請求項１〜３のいずれか１項に記載のバックライト装置。
【請求項５】
前記希ガス蛍光ランプを発光させるためのインバータ回路基板をさらに備え、
前記第１外部電極は、前記インバータ回路基板のＧＮＤに接続されていることを特徴とする請求項１〜４のいずれか１項に記載のバックライト装置。
【請求項６】
前記インバータ回路基板のＧＮＤは、前記バックライトシャーシのＧＮＤと共通であることを特徴とする請求項５に記載のバックライト装置。
【請求項７】
前記第１外部電極は、前記バックライトシャーシの近傍に配置されていることを特徴とする請求項１〜６のいずれか１項に記載のバックライト装置。
【請求項８】
前記第２外部電極と前記希ガス蛍光ランプの前側に配置される表示パネルとの間の第５の距離は、前記第２外部電極と前記第１外部電極との間の前記第２の距離よりも大きいことを特徴とする請求項１〜７のいずれか１項に記載のバックライト装置。
【請求項９】
前記希ガス蛍光ランプの透光性気密容器は、円筒状のガラス管を含み、
前記第１外部電極および前記第２外部電極は、前記円筒状のガラス管を直径方向から挟み込むように配置されていることを特徴とする請求項１〜８のいずれか１項に記載のバックライト装置。
【請求項１０】
前記希ガスは、キセノンガスを含むことを特徴とする請求項１〜９のいずれか１項に記載のバックライト装置。
【請求項１１】
請求項１〜１０のいずれか１項に記載のバックライト装置と、
前記バックライト装置により照明される表示パネルとを備えることを特徴とする表示装置。
【請求項１２】
請求項１１に記載の表示装置と、
前記表示装置を収納するキャビネットと、
チューナと、
スピーカとを備えることを特徴とするテレビジョン受像機。
【発明の詳細な説明】
【技術分野】
【０００１】
この発明は、バックライト装置、表示装置およびテレビジョン受像機に関し、特に、希ガス蛍光ランプを備えたバックライト装置、表示装置およびテレビジョン受像機に関する。
【背景技術】
【０００２】
従来、希ガス蛍光ランプを備えたバックライト装置が知られている。図６および図７は、希ガス蛍光ランプを備えた従来の一例によるバックライト装置の構造を説明するための図である。従来の一例によるバックライト装置１００は、図６に示すように、複数の希ガス蛍光ランプ１０１と、複数の希ガス蛍光ランプ１０１を収納するバックライトシャーシ１０２と、希ガス蛍光ランプ１０１およびバックライトシャーシ１０２の前側に配置される光学シート１０３とを備えている。また、バックライト装置１００は、表示パネル１１０の後側に配置されている。
【０００３】
希ガス蛍光ランプ１０１は、図７に示すように、内部に希ガスが封入されるガラス管１０１ａと、ガラス管１０１ａの外表面に設けられた外部電極１０１ｂおよび１０１ｃとを含んでいる。
【０００４】
この外部電極１０１ｂおよび１０１ｃは、ガラス管１０１ａを直径方向から挟み込むように配置されている。また、図６に示すように、外部電極１０１ｂおよび１０１ｃは、バックライトシャーシ１０２の底面部１０２ａの延びる方向（Ａ方向）に並んで配置されている。
【０００５】
また、外部電極１０１ｂおよび１０１ｃは、互いに逆位相の、例えば±２ｋＶの交流の高電圧が印加されるように構成されている。そして、外部電極１０１ｂおよび１０１ｃに、互いに逆位相の交流の高電圧が印加されることにより、希ガス蛍光ランプ１０１が発光する。
【０００６】
このようなバックライト装置の構成は、例えば、特許文献１および特許文献２に開示されている。
【特許文献１】特開２００７−１０９４９２号公報
【特許文献２】特開２００８−４１４２７号公報
【発明の開示】
【発明が解決しようとする課題】
【０００７】
図６に示した従来の一例によるバックライト装置１００では、希ガス蛍光ランプ１０１の外部電極１０１ｂおよび１０１ｃに、互いに逆位相の、例えば±２ｋＶの交流の高電圧が印加されるので、希ガス蛍光ランプ１０１をバックライトシャーシ１０２の底面部１０２ａの近傍に配置すると、希ガス蛍光ランプ１０１の外部電極１０１ｂおよび１０１ｃからバックライトシャーシ１０２の底面部１０２ａに放電する場合があるという不都合がある。このため、希ガス蛍光ランプ１０１をバックライトシャーシ１０２の底面部１０２ａの近傍に配置するのが困難であるので、バックライト装置１００を薄型化するのが困難であるという問題点がある。
【０００８】
その一方、希ガス蛍光ランプ１０１を光学シート１０３および表示パネル１１０に近づけて配置すると、光学シート１０３の希ガス蛍光ランプ１０１の直上の領域１０３ａと、領域１０３ａ以外の領域１０３ｂとの輝度差が大きくなるという不都合がある。すなわち、希ガス蛍光ランプ１０１を光学シート１０３（表示パネル１１０）の近傍に配置すると、光学シート１０３の輝度が不均一になるので、表示パネル１１０の輝度が不均一になるという問題点がある。
【０００９】
この発明は、上記のような課題を解決するためになされたものであり、この発明の目的は、表示パネルの輝度が不均一になるのを抑制しながら、薄型化することが可能なバックライト装置、表示装置およびテレビジョン受像機を提供することである。
【課題を解決するための手段】
【００１０】
上記目的を達成するために、この発明の第１の局面によるバックライト装置は、希ガス蛍光ランプと、希ガス蛍光ランプを収納するバックライトシャーシとを備え、希ガス蛍光ランプは、内部に希ガスが封入される透光性気密容器と、透光性気密容器の外表面に設けられた第１外部電極および第２外部電極とを含み、第１外部電極は、ＧＮＤに接続されており、第２外部電極は、希ガス蛍光ランプを発光させるための電圧が印加されるように構成されており、第２外部電極とバックライトシャーシとの間の第１の距離は、第２外部電極と第１外部電極との間の第２の距離よりも大きい。
【００１１】
この第１の局面によるバックライト装置では、上記のように、希ガス蛍光ランプの第１外部電極を、ＧＮＤに接続することによって、第１外部電極とバックライトシャーシとの電位差を小さくする（略ゼロにする）ことができるので、第１外部電極からバックライトシャーシに放電するのを抑制することができる。また、第２外部電極とバックライトシャーシとの間の第１の距離を、第２外部電極と第１外部電極との間の第２の距離よりも大きくすることによって、第２外部電極に、希ガス蛍光ランプを発光させるために高電圧が印加された場合にも、第２外部電極からバックライトシャーシに放電するのを抑制することができる。以上から、希ガス蛍光ランプをバックライトシャーシに近づけて配置することができるので、バックライト装置を薄型化することができる。
【００１２】
このように、希ガス蛍光ランプを、希ガス蛍光ランプの前側に配置される表示パネルや光学シートに近づけることなくバックライト装置を薄型化することができるので、表示パネルの輝度が不均一になるのを抑制しながら、バックライト装置を薄型化することができる。
【００１３】
上記第１の局面によるバックライト装置において、好ましくは、第１外部電極は、第２外部電極とバックライトシャーシとの間に配置されている。このように構成すれば、第２外部電極とバックライトシャーシとの間の第１の距離を、第２外部電極と第１外部電極との間の第２の距離よりも、容易に、大きくすることができるので、第２外部電極からバックライトシャーシに放電するのを、容易に、抑制することができる。
【００１４】
上記第１外部電極が第２外部電極とバックライトシャーシとの間に配置されているバックライト装置において、好ましくは、希ガス蛍光ランプは、所定の方向に並んで配置された複数の希ガス蛍光ランプからなり、バックライトシャーシは、複数の希ガス蛍光ランプに対向配置される底面部を含み、第１外部電極および第２外部電極は、バックライトシャーシの底面部の法線方向に並ぶように配置されている。このように構成すれば、第２外部電極を、希ガス蛍光ランプのバックライトシャーシの底面部から最も離れた部分に配置することができるので、第２外部電極からバックライトシャーシに放電するのを、より抑制することができる。
【００１５】
上記第１の局面によるバックライト装置において、好ましくは、バックライトシャーシは、２つの側面部と、２つの側面部を接続する底面部とからなるコの字状の断面形状を有し、第２外部電極と側面部との間の第３の距離と、第２外部電極と底面部との間の第４の距離との両方は、第２外部電極と第１外部電極との間の第２の距離よりも大きい。このように構成すれば、第２外部電極とバックライトシャーシとの間の第１の距離（第３の距離および第４の距離）を、第２外部電極と第１外部電極との間の第２の距離よりも、容易に、大きくすることができるので、第２外部電極からバックライトシャーシに放電するのを、容易に、抑制することができる。
【００１６】
上記第１の局面によるバックライト装置において、好ましくは、希ガス蛍光ランプを発光させるためのインバータ回路基板をさらに備え、第１外部電極は、インバータ回路基板のＧＮＤに接続されている。このように構成すれば、第１外部電極を、容易にＧＮＤに接続することができるので、第１外部電極からバックライトシャーシに放電するのを、容易に抑制することができる。
【００１７】
上記インバータ回路基板を備えるバックライト装置において、好ましくは、インバータ回路基板のＧＮＤは、バックライトシャーシのＧＮＤと共通である。このように構成すれば、第１外部電極とバックライトシャーシとの電位差を、ゼロにすることができるので、第１外部電極からバックライトシャーシに放電するのを、より抑制することができる。
【００１８】
上記第１の局面によるバックライト装置において、好ましくは、第１外部電極は、バックライトシャーシの近傍に配置されている。このように構成すれば、希ガス蛍光ランプを、容易に、バックライトシャーシの近傍に配置することができるので、バックライト装置を、容易に薄型化することができる。
【００１９】
上記第１の局面によるバックライト装置において、好ましくは、第２外部電極と希ガス蛍光ランプの前側に配置される表示パネルとの間の第５の距離は、第２外部電極と第１外部電極との間の第２の距離よりも大きい。このように構成すれば、第２外部電極から表示パネルに放電するのを抑制することができる。
【００２０】
上記第１の局面によるバックライト装置において、好ましくは、希ガス蛍光ランプの透光性気密容器は、円筒状のガラス管を含み、第１外部電極および第２外部電極は、円筒状のガラス管を直径方向から挟み込むように配置されている。このように構成すれば、第１外部電極をバックライトシャーシ側に配置することにより、第２外部電極を、バックライトシャーシ側とは反対側に配置することができる。これにより、第２外部電極とバックライトシャーシとの間の第１の距離を、第２外部電極と第１外部電極との間の第２の距離よりも、容易に、大きくすることができる。
【００２１】
上記第１の局面によるバックライト装置において、希ガスが、キセノンガスを含むように構成してもよい。
【００２２】
この発明の第２の局面による表示装置は、請求項１〜１０のいずれか１項に記載のバックライト装置と、バックライト装置により照明される表示パネルとを備える。このように構成すれば、表示パネルの輝度が不均一になるのを抑制しながら、薄型化することが可能な表示装置を得ることができる。
【００２３】
この発明の第３の局面によるテレビジョン受像機は、請求項１１に記載の表示装置と、表示装置を収納するキャビネットと、チューナと、スピーカとを備える。このように構成すれば、表示パネルの輝度が不均一になるのを抑制しながら、薄型化することが可能なテレビジョン受像機を得ることができる。
【発明の効果】
【００２４】
以上のように、本発明によれば、表示パネルの輝度が不均一になるのを抑制しながら、薄型化することが可能なバックライト装置、表示装置およびテレビジョン受像機を容易に得ることができる。
【発明を実施するための最良の形態】
【００２５】
図１は、本発明の一実施形態によるバックライト装置を備えた液晶テレビジョン受像機の全体構成を示した分解斜視図である。図２は、本発明の一実施形態によるバックライト装置を含む液晶表示装置の構造を示した断面図である。図３〜図５は、図２に示したバックライト装置の詳細構造を説明するための図である。まず、図１〜図５を参照して、本発明の一実施形態によるバックライト装置２０を備えた液晶テレビジョン受像機１の構造について説明する。なお、液晶テレビジョン受像機１は、本発明の「テレビジョン受像機」の一例である。
【００２６】
本発明の一実施形態によるバックライト装置２０を備えた液晶テレビジョン受像機１は、図１に示すように、バックライト装置２０を含む液晶表示装置１０と、液晶表示装置１０を収納するフロントキャビネット２およびリアキャビネット３と、フロントキャビネット２に取り付けられたスピーカ４と、チューナ５と、電源６と、支持部材７とを備えている。フロントキャビネット２、リアキャビネット３、スピーカ４、チューナ５、電源６および支持部材７は、従来一般に用いられるものが適用できるので、それぞれ簡単に説明する。なお、液晶表示装置１０は、本発明の「表示装置」の一例であり、フロントキャビネット２およびリアキャビネット３は、本発明の「キャビネット」の一例である。
【００２７】
フロントキャビネット２およびリアキャビネット３は、液晶表示装置１０、チューナ５および電源６を収納するとともに、支持部材７に支持されている。また、チューナ５は、受信した電波から所定のチャンネルの画像信号と音声信号とを生成する機能を有する。スピーカ４は、チューナ５が生成した音声信号に基づいて音声を発する機能を有する。電源６は、液晶表示装置１０、スピーカ４およびチューナ５に電力を供給するように構成されている。なお、スピーカ４、チューナ５および電源６が、液晶表示装置１０に組み付けられている構成であってもよい。
【００２８】
液晶表示装置１０は、図２に示すように、液晶表示パネル１１と、液晶表示パネル１１を挟み込んで保持するフレーム１２および１３と、液晶表示パネル１１の背面側に配置された直下型のバックライト装置２０とによって構成されている。
【００２９】
液晶表示パネル１１は、図示しない液晶層を挟み込む２つのガラス基板からなる。また、液晶表示パネル１１は、バックライト装置２０の後述するキセノンランプ２３の前側に配置されており、バックライト装置２０に照明されることにより、表示パネルとして機能する。なお、液晶表示パネル１１は、本発明の「表示パネル」の一例である。
【００３０】
フレーム１２および１３は、金属板からなり、液晶表示パネル１１の表示領域に対応する部分に、開口部１２ａおよび１３ａが設けられている。また、フレーム１２および１３は、バックライト装置２０の前側の部分に固定されている。
【００３１】
バックライト装置２０は、図３に示すように、バックライトシャーシ２１と、バックライトシャーシ２１の前面側に配置される非導電性の反射シート２２、複数のキセノンランプ２３および複数の光学シート２４と、バックライトシャーシ２１の背面に取り付けられたインバータ回路基板３０とによって構成されている。なお、キセノンランプ２３は、本発明の「希ガス蛍光ランプ」の一例である。
【００３２】
バックライトシャーシ２１は、アルミニウム板などからなる金属板によって構成されているとともに、ＧＮＤとして機能する。また、バックライトシャーシ２１は、図２に示すように、２つの側面部２１ａと、２つの側面部２１ａを接続する底面部２１ｂとからなるコの字状の断面形状を有し、複数のキセノンランプ２３を収納している。この底面部２１ｂは、Ａ方向に延びるように形成されており、複数のキセノンランプ２３に対向するように配置されている。なお、バックライトシャーシ２１は、４つの端部にそれぞれ側面部２１ａが設けられている構成であってもよい。
【００３３】
反射シート２２は、バックライトシャーシ２１の前面（内面）上に固定されている。すなわち、反射シート２２は、キセノンランプ２３の後側に配置されており、キセノンランプ２３から後側に出射した光を前側（液晶表示パネル１１側）に反射する機能を有する。
【００３４】
複数の光学シート２４は、光を拡散させる非導電性の拡散シートや、光を前方向へ集光させる非導電性のレンズシートなどによって構成されている。
【００３５】
複数のキセノンランプ２３は、互いに所定の間隔を隔てて、Ａ方向に並ぶように配列されている。
【００３６】
また、キセノンランプ２３は、図４に示すように、直管型に構成されており、円筒状のガラス管２３ａと、外部電極２３ｂおよび２３ｃと、外部電極２３ｂおよび２３ｃにそれぞれ接続された配線２３ｄおよび２３ｅとを含んでいる。なお、ガラス管２３ａは、本発明の「透光性気密容器」の一例である。また、外部電極２３ｂは、本発明の「第１外部電極」の一例であり、外部電極２３ｃは、本発明の「第２外部電極」の一例である。
【００３７】
このガラス管２３ａは、透光性および気密性を有する。また、ガラス管２３ａの内部には、キセノンガスが封入されている。なお、ガラス管２３ａの内部に、キセノンガスと他の希ガスとの混合ガスが封入されていてもよいし、キセノンガス以外の希ガスのみが封入されていてもよい。また、ガラス管２３ａの内表面には、図示しない蛍光材が塗布されている。
【００３８】
外部電極２３ｂおよび２３ｃは、ガラス管２３ａの外表面に設けられている。具体的には、外部電極２３ｂおよび２３ｃは、ガラス管２３ａの外表面に、金属を蒸着させたり、導電性ペーストを印刷し硬化させることによって形成されている。
【００３９】
また、外部電極２３ｂおよび２３ｃは、ガラス管２３ａを直径方向から挟み込むように配置されている。また、外部電極２３ｂおよび２３ｃは、ガラス管２３ａの延びる方向（Ｂ方向）に沿って、帯状に形成されている。
【００４０】
ここで、本実施形態では、図３に示すように、外部電極２３ｂおよび２３ｃは、外部電極２３ｃとバックライトシャーシ２１の底面部２１ｂとの間の距離Ｌ１が、外部電極２３ｃと外部電極２３ｂとの間の距離Ｌ２よりも大きくなるように配置されている。なお、距離Ｌ１は、本発明の「第１の距離」および「第４の距離」の一例であり、距離Ｌ２は、本発明の「第２の距離」の一例である。
【００４１】
具体的には、外部電極２３ｂは、外部電極２３ｃとバックライトシャーシ２１の底面部２１ｂとの間に配置されている。また、外部電極２３ｂおよび２３ｃは、バックライトシャーシ２１の底面部２１ｂの法線方向（Ｃ方向）に並ぶように配置されている。
【００４２】
また、本実施形態では、外部電極２３ｂおよび２３ｃは、外部電極２３ｃとバックライトシャーシ２１の側面部２１ａとの間の距離Ｌ３が、外部電極２３ｃと外部電極２３ｂとの間の距離Ｌ２よりも大きくなるように配置されている。なお、距離Ｌ３は、本発明の「第１の距離」および「第３の距離」の一例である。
【００４３】
また、外部電極２３ｂおよび２３ｃは、外部電極２３ｃと液晶表示パネル１１との間の距離Ｌ４が、外部電極２３ｃと外部電極２３ｂとの間の距離Ｌ２よりも大きくなるように配置されている。なお、距離Ｌ４は、本発明の「第５の距離」の一例である。
【００４４】
また、本実施形態では、外部電極２３ｂ（キセノンランプ２３）は、バックライトシャーシ２１の底面部２１ｂの近傍に配置されている。なお、後述するように、外部電極２３ｂを、バックライトシャーシ２１の底面部２１ｂに接触するように配置してもよい。
【００４５】
また、キセノンランプ２３は、インバータ回路基板３０に電気的に接続されており、インバータ回路基板３０から供給される高電圧によって発光するように構成されている。
【００４６】
具体的には、本実施形態では、図５に示すように、外部電極２３ｂ（図４参照）は、配線２３ｄを介して、インバータ回路基板３０のＧＮＤに接続されている。
【００４７】
また、外部電極２３ｃ（図４参照）は、配線２３ｅを介して、インバータ回路基板３０に設けられたトランス３１に接続されている。このトランス３１は、駆動回路３２に接続されており、駆動回路３２から供給される交流の電圧を、例えば０ｋＶ〜４ｋＶの交流の高電圧に変換する機能を有する。そして、駆動回路３２およびトランス３１により、キセノンランプ２３の外部電極２３ｃ（図４参照）に交流の高電圧が供給されることによって、キセノンランプ２３が発光する。なお、図５では、図面簡略化のため、キセノンランプ２３は１つだけ記載している。
【００４８】
また、本実施形態では、インバータ回路基板３０のＧＮＤは、バックライトシャーシ２１（図３参照）のＧＮＤと共通である。すなわち、外部電極２３ｂ（図４参照）およびインバータ回路基板３０のＧＮＤは、バックライトシャーシ２１に対して電位差が０Ｖになっている。このため、キセノンランプ２３の外部電極２３ｂを、バックライトシャーシ２１に接触させることも可能である。
【００４９】
本実施形態では、上記のように、キセノンランプ２３の外部電極２３ｂを、インバータ回路基板３０のＧＮＤに接続することによって、外部電極２３ｂとバックライトシャーシ２１との電位差を０Ｖにすることができるので、外部電極２３ｂからバックライトシャーシ２１に放電するのを抑制することができる。また、外部電極２３ｃと底面部２１ｂとの間の距離Ｌ１と、外部電極２３ｃと側面部２１ａとの間の距離Ｌ３との両方を、外部電極２３ｃと外部電極２３ｂとの間の距離Ｌ２よりも大きくすることによって、外部電極２３ｃに、キセノンランプ２３を発光させるために高電圧が印加された場合にも、外部電極２３ｃからバックライトシャーシ２１に放電するのを抑制することができる。以上から、キセノンランプ２３をバックライトシャーシ２１に近づけて配置することができるので、バックライト装置２０を薄型化することができる。
【００５０】
このように、キセノンランプ２３を光学シート２４および液晶表示パネル１１に近づけることなくバックライト装置２０を薄型化することができるので、液晶表示パネル１１の輝度が不均一になるのを抑制しながら、バックライト装置２０を薄型化することができる。
【００５１】
また、本実施形態では、外部電極２３ｂを、外部電極２３ｃとバックライトシャーシ２１との間に配置することによって、外部電極２３ｃとバックライトシャーシ２１の底面部２１ｂとの間の距離Ｌ１を、外部電極２３ｃと外部電極２３ｂとの間の距離Ｌ２よりも、容易に、大きくすることができるので、外部電極２３ｃからバックライトシャーシ２１の底面部２１ｂに放電するのを、容易に、抑制することができる。
【００５２】
また、本実施形態では、外部電極２３ｂと外部電極２３ｃとを、バックライトシャーシ２１の底面部２１ｂの法線方向（Ｃ方向）に並ぶように配置することによって、外部電極２３ｃを、キセノンランプ２３のバックライトシャーシ２１の底面部２１ｂから最も離れた部分に配置することができるので、外部電極２３ｃからバックライトシャーシ２１の底面部２１ｂに放電するのを、より抑制することができる。
【００５３】
また、本実施形態では、外部電極２３ｂを、バックライトシャーシ２１の近傍に配置することによって、キセノンランプ２３を、容易に、バックライトシャーシ２１の近傍に配置することができるので、バックライト装置２０を、容易に薄型化することができる。
【００５４】
また、本実施形態では、外部電極２３ｃと液晶表示パネル１１との間の距離Ｌ４を、外部電極２３ｃと外部電極２３ｂとの間の距離Ｌ２よりも大きくすることによって、外部電極２３ｃから液晶表示パネル１１に放電するのを抑制することができる。
【００５５】
また、本実施形態では、外部電極２３ｂと外部電極２３ｃとを、円筒状のガラス管２３ａを直径方向から挟み込むように配置することによって、外部電極２３ｂを、バックライトシャーシ２１側に配置することにより、外部電極２３ｃを、バックライトシャーシ２１側とは反対側に配置することができる。これにより、外部電極２３ｃとバックライトシャーシ２１の底面部２１ｂとの間の距離Ｌ１を、外部電極２３ｃと外部電極２３ｂとの間の距離Ｌ２よりも、容易に、大きくすることができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
例えば、上記実施形態では、表示パネル、表示装置およびテレビジョン受像機を、それぞれ、液晶表示パネル、液晶表示装置および液晶テレビジョン受像機に適用した例について示したが、本発明はこれに限らず、液晶表示パネル、液晶表示装置および液晶テレビジョン受像機以外の表示パネル、表示装置およびテレビジョン受像機に適用してもよい。
【００５８】
また、上記実施形態では、希ガス蛍光ランプの一例としてキセノンランプを用いた例について示したが、本発明はこれに限らず、キセノンランプ以外の希ガス蛍光ランプにも適用可能である。
【００５９】
また、上記実施形態では、外部電極２３ｂを、バックライトシャーシ２１の近傍に配置した例について示したが、本発明はこれに限らず、外部電極２３ｂを、バックライトシャーシ２１に接触されてもよい。
【００６０】
また、上記実施形態では、インバータ回路基板３０のＧＮＤを、バックライトシャーシ２１のＧＮＤと共通にし、外部電極２３ｂおよびインバータ回路基板３０のＧＮＤを、バックライトシャーシ２１に対して電位差が０Ｖになるように構成した例について示したが、本発明はこれに限らず、インバータ回路基板３０のＧＮＤを、バックライトシャーシ２１のＧＮＤと共通にせず、外部電極２３ｂおよびインバータ回路基板３０のＧＮＤを、バックライトシャーシ２１に対して電位差が０Ｖにならないように構成してもよい。この場合、外部電極２３ｂとインバータ回路基板３０のＧＮＤとの間に、例えば５Ｖや１０Ｖの低電圧の制御用信号などを乗せてもよい。
【００６１】
また、上記実施形態では、外部電極２３ｂおよび２３ｃを、バックライトシャーシ２１の底面部２１ｂの法線方向（Ｃ方向）に並ぶように配置した例について示したが、本発明はこれに限らず、外部電極２３ｂおよび２３ｃを、バックライトシャーシ２１の底面部２１ｂの法線方向（Ｃ方向）に対して傾斜した方向に並ぶように配置してもよい。
【００６２】
また、上記実施形態では、キセノンランプ２３を直管型に構成した例について示したが、本発明はこれに限らず、キセノンランプ（希ガス蛍光ランプ）２３を、例えば、Ｕ字型、コの字型または平面型に構成してもよい。また、キセノンランプ２３を平面型に構成する場合、外部電極を、帯状に形成してもよいし、平面状に形成してもよい。
【００６３】
また、上記実施形態では、外部電極２３ｂおよび２３ｃを、外部電極２３ｃと液晶表示パネル１１との間の距離Ｌ４が、外部電極２３ｃと外部電極２３ｂとの間の距離Ｌ２よりも大きくなるように配置した例について示したが、本発明はこれに限らず、外部電極２３ｂおよび２３ｃを、外部電極２３ｃと液晶表示パネル１１との間の距離Ｌ４が、外部電極２３ｃと外部電極２３ｂとの間の距離Ｌ２よりも小さくなるように配置してもよい。この場合にも、キセノンランプ２３と液晶表示パネル１１との間に、非導電性の光学シート２４が配置されていれば、外部電極２３ｃから液晶表示パネル１１に放電するのを抑制することが可能である。
【図面の簡単な説明】
【００６４】
【図１】本発明の一実施形態によるバックライト装置を備えた液晶テレビジョン受像機の全体構成を示した分解斜視図である。
【図２】本発明の一実施形態によるバックライト装置を含む液晶表示装置の構造を示した断面図である。
【図３】図２に示したバックライト装置の詳細構造を示した断面図である。
【図４】図２に示したバックライト装置のキセノンランプの構造を示した斜視図である。
【図５】図２に示したバックライト装置のキセノンランプおよびインバータ回路基板を説明するためのブロック図である。
【図６】希ガス蛍光ランプを備えた従来の一例によるバックライト装置の構造を示した断面図である。
【図７】図６に示した従来の一例によるバックライト装置の希ガス蛍光ランプの構造を示した斜視図である。
【符号の説明】
【００６５】
１  液晶テレビジョン受像機（テレビジョン受像機）
２  フロントキャビネット（キャビネット）
３  リアキャビネット（キャビネット）
４  スピーカ
５  チューナ
１０  液晶表示装置（表示装置）
１１  液晶表示パネル（表示パネル）
２０  バックライト装置
２１  バックライトシャーシ
２１ａ  側面部
２１ｂ  底面部
２３  キセノンランプ（希ガス蛍光ランプ）
２３ａ  ガラス管（透光性気密容器）
２３ｂ  外部電極（第１外部電極）
２３ｃ  外部電極（第２外部電極）
３０  インバータ回路基板
Ｌ１  距離（第１の距離、第４の距離）
Ｌ２  距離（第２の距離）
Ｌ３  距離（第１の距離、第３の距離）
Ｌ４  距離（第５の距離）
【図１】
2009259562.tif 000003
【図２】
2009259562.tif 000004
【図３】
2009259562.tif 000005
【図４】
2009259562.tif 000006
【図５】
2009259562.tif 000007
【図６】
2009259562.tif 000008
【図７】
2009259562.tif 000009